(57)【要約】【課題】  前面扉の閉状態で筐体の開口部の隅部を確実に閉塞する。【解決手段】  横不正侵入阻止板５は、端部に筐体の開口部の隅部に沿って折曲形成される折曲片５１を有し、縦不正侵入阻止板６は、筐体２の前端縁より前面扉３側に向けて突出する領域の突出部６２を、筐体２の内面に重合する領域の固定部６１より開口部の内側寄りに位置するように形成するとともに、固定部６１を突出部６２より折曲片５１の折曲げ長さに相当する寸法だけ短く形成し、開口部の隅部における横不正侵入阻止板５と縦不正侵入阻止板６との接ぎ合わせ領域において、固定部６１の端縁と折曲片５１の端縁とを相互の間に隙間が無いように対向させるとともに、突出部６２を折曲片５１の内面側に重合させる。    【選択図】  図５
2005261615.tif 000002
【特許請求の範囲】
【請求項１】
遊技装置を収容する筐体と、該筐体の前面に開閉自在に設けられる前面扉とを備え、前記筐体の前記前面扉に対向する矩形の開口部に不正侵入阻止手段を設け、前記前面扉の閉状態で前記不正侵入阻止手段により前記筐体と前記前面扉との間の隙間を閉塞するようにした遊技機において、
前記不正侵入阻止手段は、前記筐体の天板または底板の前端縁より前記前面扉側に向けて突出するように、前記筐体の天板または底板の内面に固定される横不正侵入阻止板と、前記筐体の側板の前端縁より前記前面扉側に向けて突出するように、前記筐体の側板の内面に固定される縦不正侵入阻止板とを備え、
前記横不正侵入阻止板または前記縦不正侵入阻止板のいずれか一方は、端部に前記開口部の隅部に沿って折曲形成される折曲片を有し、
前記横不正侵入阻止板または前記縦不正侵入阻止板のいずれか他方は、前記筐体の前端縁より前記前面扉側に向けて突出する領域の突出部を、前記筐体の内面に重合する領域の固定部より前記開口部の内側寄りに位置するように形成するとともに、前記固定部を前記突出部より前記折曲片の折曲げ長さに相当する寸法だけ短く形成し、
前記開口部の隅部における前記横不正侵入阻止板と前記縦不正侵入阻止板との接ぎ合わせ領域において、前記固定部の端縁と前記折曲片の端縁とを相互の間に隙間が無いように対向させるとともに、前記突出部を前記折曲片の内面側に重合させたことを特徴とする遊技機。
【発明の詳細な説明】
【技術分野】
【０００１】
本発明は、遊技装置を収容する筐体と、筐体の前面に開閉自在に設けられる前面扉とを備えた遊技機に関する。
【背景技術】
【０００２】
従来、スロットマシン等の遊技機において、遊技装置であるリールユニット、遊技媒体であるメダルを払い出しするホッパーユニット、各種電装部品に電力を供給する電源ボックス等を収容する筐体と、この筐体の前面に開閉自在に枢支された前面扉とを備え、筐体の前面扉に対向する開口部に、前面扉に向けて延設された不正侵入阻止板を設け、この不正侵入阻止板により、前面扉の閉状態で筐体と前面扉との間の隙間を閉塞して、前面扉と筐体との間の隙間からピアノ線等の不正部材を侵入させて、筐体内部に収容された遊技装置に不正が行われることを阻止するようにしたものがある（例えば、特許文献１参照）。
【特許文献１】特開２００１−２１２２８４号公報
【発明の開示】
【発明が解決しようとする課題】
【０００３】
上述のような遊技機においては、前面扉を閉じたとき、筐体側に設けられる不正侵入阻止板が前面扉に対して干渉することがないように、不正侵入阻止板を前面扉に対応させた形状にする必要がある。しかし、不正侵入阻止板が前後方向にクランク状に折曲形成されているような形状の場合には、筐体の開口部の上、下隅部において縦方向の不正侵入阻止板と横方向の不正侵入阻止板同士の接ぎ合わせ領域に隙間が生じ、筐体内部への不正部材の侵入を防止するには不完全なものとなる。
【０００４】
本発明は、前記従来の問題に鑑み、前面扉の閉状態で筐体の開口部の隅部を確実に閉塞することができるようにして、不正行為を確実に防止することができる遊技機を提供することを目的とする。
【課題を解決するための手段】
【０００５】
本発明によると、上記課題は、次のようにして解決される。
（１）遊技装置を収容する筐体と、該筐体の前面に開閉自在に設けられる前面扉とを備え、前記筐体の前記前面扉に対向する矩形の開口部に不正侵入阻止手段を設け、前記前面扉の閉状態で前記不正侵入阻止手段により前記筐体と前記前面扉との間の隙間を閉塞するようにした遊技機において、前記不正侵入阻止手段は、前記筐体の天板または底板の前端縁より前記前面扉側に向けて突出するように、前記筐体の天板または底板の内面に固定される横不正侵入阻止板と、前記筐体の側板の前端縁より前記前面扉側に向けて突出するように、前記筐体の側板の内面に固定される縦不正侵入阻止板とを備え、前記横不正侵入阻止板または前記縦不正侵入阻止板のいずれか一方は、端部に前記開口部の隅部に沿って折曲形成される折曲片を有し、前記横不正侵入阻止板または前記縦不正侵入阻止板のいずれか他方は、前記筐体の前端縁より前記前面扉側に向けて突出する領域の突出部を、前記筐体の内面に重合する領域の固定部より前記開口部の内側寄りに位置するように形成するとともに、前記固定部を前記突出部より前記折曲片の折曲げ長さに相当する寸法だけ短く形成し、前記開口部の隅部における前記横不正侵入阻止板と前記縦不正侵入阻止板との接ぎ合わせ領域において、前記固定部の端縁と前記折曲片の端縁とを相互の間に隙間が無いように対向させるとともに、前記突出部を前記折曲片の内面側に重合させる。
【発明の効果】
【０００６】
本発明によれば、次のような効果が奏せられる。
請求項１記載の発明によると、縦不正侵入阻止板と横不正侵入阻止板とにより、前面扉の閉状態で筐体の開口部の隅部を確実に閉塞することができるため、筐体内部への不正部材の侵入を阻止して、不正行為を防止することができる。
【発明を実施するための最良の形態】
【０００７】
図１は、本発明を適用した遊技機（スロットマシン）(１)の正面図、図２は、前面扉(３)を開けた状態の遊技機(１)の斜視図、図３は、筐体(２)の上隅部の要部の斜視図、図４は、筐体(２)の下隅部の要部の斜視図、図５は、図１におけるＶ−Ｖ線に沿う縦断面図、図６は、図５におけるVIーVI線に沿う横断面図である。
【０００８】
図２に示すように、遊技機(１)は、筐体(２)と、筐体(２)の左端部に上下方向を向く軸回りに開閉可能な前面扉(３)とを備える。前面扉(３)は、閉状態にあるとき、前面扉(３)に設けられたロック機構(４)により筐体(２)に設けられた係合部(図示略)に係合し、所定のキー等を使用しない限り開けられないようになっている。
【０００９】
筐体(２)は、上部を形成する天板(21)と、側部を形成する左右の側板(22)(23)と、底部を形成する底板(24)と、後部を形成する後板(図示略)とから形成されている。
【００１０】
筐体(２)の内部には、遊技装置をなす、外周面に複数種類の図柄が付記された円筒状の３個の回胴体(11a)を有するリールユニット(11)、遊技媒体であるメダルを貯留及び放出するホッパーユニット(12)、遊技を制御するための主基板(13)及び副基板(14)、各遊技装置に電力を供給する電源ボックス(15)が収容されている。
【００１１】
遊技機(１)の遊技は、遊技者が遊技媒体であるメダルを前面扉(３)の前面に設けられたメダル投入口(16)に所定枚数投入して、前面扉(３)に設けられたベッドスイッチボタン(17)及びスタートスイッチレバー(18)を順次操作することによって、リールユニット(11)の各回胴体(11a)が一斉に回転して所定時間が経過した後、各回胴体(11a)に対応する各ストップスイッチボタン(19)を順次操作して、各回胴体(11a)を停止させることによって、停止したときの図柄の組み合わせにより、入賞の有無、及び賞の大小に応じたメダルの配当枚数が決定され、入賞した場合には、予め定めた入賞枚数分だけホッパーユニット(12)からメダルが払い出される。
【００１２】
筐体(２)の前面扉(３)に対向する矩形の開口部には、不正侵入阻止手段をなす上部の横不正侵入阻止板(５)、左右の縦不正侵入阻止板(６)（左側の縦不正侵入阻止板は図示省略）、及び下部の横不正侵入阻止板(７)が設けられ、これら各不正侵入阻止板(５)(６)(７)により、前面扉(３)が閉状態にあるとき、筐体(２)と前面扉(３)の間の隙間を閉塞して、筐体(１)の内部へのピアノ線等の不正部材の侵入を阻止し、筐体(２)に収容された遊技装置に不正が行われることを防止する。
【００１３】
上部の横不正侵入阻止板(５)は、金属製の平板により形成されるとともに、複数のねじ(８)をもって、天板(21)の前端縁より前方へ突出するように、天板(21)の下面（内面）に固定されることにより、前面扉(３)の閉状態で天板(21)の前端縁と前面扉(３)の上部との間の隙間を閉塞する。横不正侵入阻止板(５)の左右両端部には、主に図３及び図５に示すように、筐体(２)の開口部の上隅部（天板(21)と側板(22)(23)の上端部との接ぎ合わせ部分）に沿うように、側板(22)(23)の内側面に沿って下方へほぼ９０度折曲された折曲片(51)が設けられている。
【００１４】
横不正侵入阻止板(５)において、天板(21)の下面との間に隙間が無いように固定されて天板(21)の下面に重合する領域を固定部(52)とし、また天板(21)の前端縁より前方へ突出する領域を突出部(53)とする。
【００１５】
下部の横不正侵入阻止板(７)は、金属製の平板により形成されるとともに、複数のねじ(９)をもって、底板(24)の前端縁より前方へ突出するように、底板(24)の上面（内面）に固定されることにより、前面扉(３)の閉状態で底板(24)の前端縁と前面扉(３)の下部との間の隙間を閉塞する。横不正侵入阻止板(７)の左右両端部には、主に図４に示すように、筐体(２)の開口部の下隅部（底板(24)と側板(22)(23)の下端部との接ぎ合わせ部分）に沿うように、側板(22)(23)の内側面に沿って上方へほぼ９０度折曲された折曲片(71)が設けられている。
【００１６】
横不正侵入阻止板(７)において、底板(24)の上面との間に隙間が無いように固定されて底板(24)の上面に重合する領域を固定部(72)とし、また底板(24)の前端縁より前方へ突出する領域を突出部(73)とする。
【００１７】
なお、下部の横不正侵入阻止板(７)は、底板(24)の上面のほぼ全域に敷設され、底板(24)を補強するベースプレートをも兼ねている。
【００１８】
縦不正侵入阻止板(６)は、金属板を平面視ほぼクランク状に折曲して形成されるとともに、複数のねじ(10)をもって、側板(23)の前端縁より前方へ突出するように、側板(23)の内側面（内面）に固定されることにより、前面扉(３)の閉状態で側板(23)の前端縁と前面扉(３)の側部との間の隙間を閉塞する。
【００１９】
なお、縦不正侵入阻止板(６)のクランク状に折曲された折曲部(61c)は、主に図５、６に示すように、少なくとも側板(23)の前端縁（図５、６において右端）より後方（図５、６において左方）に位置するように設けられる。これにより、後述のように、縦不正侵入阻止板(６)の突出部(62)の上端部(62a)及び下端部(62b)を、横不正侵入阻止板(５)(７)の折曲片(51)(71)の内面に重合させた場合、折曲部(61c)の上下端と各折曲片(51)(71)の下端縁(51a)及び上端縁(61a)との合わせ部が筐体(２)内に位置するため、合わせ部の隙間を確実に閉塞することができ、不正部材の筐体(２)への侵入を確実に阻止することができる。
【００２０】
縦不正侵入阻止板(６)において、側板(23)の内側面との間に隙間が無いように固定されて側板(23)の内側面に重合する領域を固定部(61)とし、また側板(23)の前端縁より前方へ突出する領域を突出部(62)とする。
【００２１】
縦不正侵入阻止板(６)の突出部(62)は、固定部(61)に対して、横不正侵入阻止板(５)(７)の各折曲片(51)(71)の板厚に相当する寸法だけ筐体(２)の開口部の内側寄りに位置するように形成される。
【００２２】
縦不正侵入阻止板(６)における固定部(61)の上端は、上部の横不正侵入阻止板(５)の折曲片(51)の折曲げ長さ(ａ)に相当する寸法だけ突出部(62)より短く形成され、また同じく下端は、下部の横正侵入阻止板(７)の折曲片(71)の折曲げ長さ(ｂ)に相当する寸法だけ突出部(62)より短く形成されている。
【００２３】
なお、縦不正侵入阻止板(６)は、前面扉(３)の閉状態で前面扉(３)に設けられたロック機構(４)が係合して、前面扉(３)を閉状態に拘束する前記係合部を有しており、ロック機構(４)の受け部も兼ねている。
【００２４】
筐体(２)の開口部の上隅部においては、図３、５及び図６に示すように、上部の横不正侵入阻止板(５)の折曲片(51)の下端縁(51a)と縦不正侵入阻止板(６)の固定部(61)の上端縁(61a)とが相互の間に隙間を生じないように対向するとともに、縦不正侵入阻止板(６)の突出部(62)の上端部（固定部(61)より長い部分）(62a)は、横不正侵入阻止板(５)の折曲片(51)における側板(23)の前端縁より突出した部分の内面に隙間が無いように重合する。
【００２５】
また、筐体(２)の開口部の下隅部においては、図４に示すように、下部の横不正侵入阻止板(７)の折曲片(71)の上端縁(71a)と縦不正侵入阻止板(６)の固定部(61)の下端縁(61b)とが相互の間に隙間を生じないように対向するとともに、縦不正侵入阻止板(６)の突出部(62)の下端部（固定部(61)より長い部分）(62b)は、横不正侵入阻止板(７)の折曲片(71)における側板(23)の前端縁より突出した部分の内面に隙間が無いように重合する。
【００２６】
なお、左側の縦不正侵入阻止板(図示略)は、右側の縦不正侵入阻止板(６)と左右対称形状をなし、前面扉(３)の閉状態で側板(22)の前端縁と前面扉(３)の側部との間の隙間を閉塞するとともに、上下部の横不正侵入阻止板(５)(７)とにより、筐体(２)の開口部の左側上下隅部の隙間を閉塞する。
【００２７】
上述により、上下部の横不正侵入阻止板(５)(７)及び縦不正侵入阻止板(６)により、前面扉(３)の閉状態で、筐体(２)と前面扉(３)との上下部、側部及び上下隅部の隙間を確実に閉塞することができ、不正部材の筐体(２)の内部への侵入を確実に阻止することができる。また、縦不正侵入阻止板(６)の突出部(62)と横不正侵入阻止板(５)(７)の各折曲片(51)(71)とが重合するため、この重合によって、突出部(62)及び各折曲片(51)(71)の強度を向上させることができ、不正部材の筐体(２)の内部への侵入をより確実に阻止することができる。
【００２８】
以上、本発明の一実施形態について説明したが、本発明の要旨を逸脱しない範囲内で、本実施形態に対して、下記のような種々の変形や変更を施すことが可能である。
（ｉ）遊技機(１)をパチンコ機とする。
（ii）横不正侵入阻止板(５)(７)の突出部(53)(73)を、固定部(52)(72)より筐体(２)の開口部の内側寄りに位置するように形成し、縦不正侵入阻止板(６)の突出部(62)を固定部(61)と平坦になるように形成する。この場合には、縦不正侵入阻止板(６)の上下端に、筐体(２)の開口部の隅部に沿って折曲される折曲片が形成される。
【図面の簡単な説明】
【００２９】
【図１】本発明を適用した遊技機の正面図である。
【図２】前面扉を開けた状態の遊技機の斜視図である。
【図３】筐体の上隅部の要部の斜視図である。
【図４】筐体の下隅部の要部の斜視図である。
【図５】図１におけるＶ−Ｖ線の沿う縦断面図である。
【図６】図５におけるVIーVI線に沿う横断面図である。
【符号の説明】
【００３０】
(１)遊技機
(２)筐体
(３)前面扉
(４)ロック機構
(５)横不正侵入阻止板（不正侵入阻止手段）
(６)縦不正侵入阻止板（不正侵入阻止手段）
(７)横不正侵入阻止板（不正侵入阻止手段）
(８)(９)(10)ねじ
(11)リールユニット
(11a)回胴体
(12)ホッパーユニット
(13)主基板
(14)副基板
(15)電源ボックス
(16)メダル投入口
(17)ベットスイッチボタン
(18)スタートスイッチレバー
(19)ストップスイッチボタン
(21)天板
(22)(23)側板
(24)底板
(51)折曲片
(51a)下端縁
(52)固定部
(53)突出部
(61)固定部
(61a)上端縁
(61b)下端縁
(61c)折曲部
(62)突出部
(62a)上端部
(62b)下端部
(71)折曲片
(71a)上端縁
(72)固定部
(73)突出部
【図１】
2005261615.tif 000003
【図２】
2005261615.tif 000004
【図３】
2005261615.tif 000005
【図４】
2005261615.tif 000006
【図５】
2005261615.tif 000007
【図６】
2005261615.tif 000008